(57)【要約】【課題】過剰電圧の抑制を得ると共に、省エネルギー化を得られるように、逆起電力の効活用を行う。【解決手段】情報が記録されているディスクを回転駆動すると共に、回転制御されることによって逆起電力を発生するスピンドルモータと、前記スピンドルモータへ、前記ディスクの回転駆動に用いられる電力を供給する第１の電源と、前記スピンドルモータによって発生された前記逆起電力を、動作可能な所定の回路に電源として伝達する伝達手段とを備える。【選択図】図２
2007215273.tif 000002
【特許請求の範囲】
【請求項１】
情報が記録されているディスクを回転駆動すると共に、回転制御されることによって逆起電力を発生するスピンドルモータと、
前記スピンドルモータへ、前記ディスクの回転駆動に用いられる電力を供給する第１の電源回路と、
前記スピンドルモータによって発生された前記逆起電力を、動作可能な所定の回路に電力として伝達する伝達手段と
を具備したことを特徴とする情報記録再生装置。
【請求項２】
前記所定の回路に電力を供給する第２の電源回路の出力電位は、前記第１の電源回路の出力電位と等しいか低いことを特徴とする請求項１記載の情報記録再生装置。
【請求項３】
前記伝達手段は、前記逆起電力発生時に同通する回路であることを特徴とする請求項１記載の情報記録再生装置。
【請求項４】
前記伝達手段は、前記第１の電源回路の出力端子にアノードが接続され、前記所定の回路に電力を供給する第２の電源回路の出力端子にカソードが接続されたダイオードであることを特徴とする請求項１記載の情報記録再生装置。
【請求項５】
前記伝達手段は、前記第１の電源回路の出力端子と、前記所定の回路に電力を供給する第２の電源回路の出力端子間の電位差を吸収するツェナーダイオードであることを特徴とする請求項１記載の情報記録再生装置。
【請求項６】
前記伝達手段は、フィルタ素子を含むことを特徴とする請求項１記載の情報記録再生装置。
【請求項７】
前記第１の電源回路の出力は、デジタルバーサタイルディスクを駆動するスピンドルモータに供給され、
前記所定の回路は、ハードディスクドライバのモータの駆動回路であることを特徴とする請求項１記載の情報記録再生装置。
【発明の詳細な説明】
【技術分野】
【０００１】
この発明は、情報記録再生装置に関するものであり、特にモータ機器の動作時に発生する逆起電力を有効活用する回路を有する装置である。
【背景技術】
【０００２】
最近の家庭用機器、例えば録再装置を有するテレビジョン受信装置、デジタルバーサタイルディスク（ＤＶＤ）を利用する記録再生装置、パーソナルコンピュータなどでは、モータを複数使用しているものが多くなっている。モータは、ハードディスクドライブ用のモータ、ＤＶＤ用のモータがある。そのほか冷却送風用のモータを有する機器もある。
【０００３】
このような装置においては、各モータの系統間でのノイズ干渉を避けるために、系統間で独立した電源回路を使用している。このような方式の場合、１つの系統でスピンドルモータが急停止されためにブレーキ動作すると、逆起電力が発生し、電源ラインに異常な電圧が一時期発生することがある。このような異常電圧が生じると、モータを駆動するドライバが過剰な電圧により不具合を生じる。そこで、この不具合を解決するために、従来は、ダミー抵抗などで過剰電圧を放出する方法が採用されている（例えば特許文献１参照）。
【０００４】
例えば特許文献１は、過剰な電圧が生じたとき、調整器回路網によりそのエネルギーを消費させている。
【特許文献１】特開平７−１６３１７４号
【発明の開示】
【発明が解決しようとする課題】
【０００５】
従来では、上記のように逆起電力による過剰な電圧は、そのエネルギーがダミー抵抗あるいは調整器回路網により消耗されているが、最近では省エネルギー化が望まれている。
【０００６】
そこでこの発明の一面では、過剰電圧の抑制を得ると共に、省エネルギー化を得られるように、逆起電力の効活用回路を有した情報記録再生装置を提供することを目的とする。
【課題を解決するための手段】
【０００７】
上記の目的を達成するために、情報が記録されているディスクを回転駆動すると共に、回転制御されることによって逆起電力を発生するスピンドルモータと、前記スピンドルモータへ、前記ディスクの回転駆動に用いられる電力を供給する第１の電源と、前記スピンドルモータによって発生された前記逆起電力を、動作可能な所定の回路に電源として伝達する伝達手段とを備える。
【発明の効果】
【０００８】
上記の手段により、逆起電力を単に消費するのではなく、所定の回路の電力として有効活用できる。よって、全体装置としての省エネルギー化が得られると共に、スピンドルモータへの電源電圧の安定化と安全性を得られる。
【発明を実施するための最良の形態】
【０００９】
以下、図面を参照してこの発明の実施の形態を説明する。図１はこの発明が適用された情報記録再生装置１１の構成例を示している。１２はリモートコントローラであり、リモートコントロール受信部１１３がリモートコントロール信号を受信する。操作部１１２の操作子を操作することによってもこの情報記録再生装置１１を操作することができる。
【００１０】
この情報記録再生装置１１は、ＴＶチューナ部１１５を有し、このチューナ部１１５には、アンテナ１５が接続される。チューナ部１１５は、制御部１１１の指示により、アンテナ１５より受信する放送局の放送波のチャンネルを選局する。選局された放送波は、バスライン１１４を介して、ストリームデータとして信号処理部１１６に入力される。信号処理部１１６では、入力されたストリームデータから必要とされる番組（チャンネル）のデータを抽出し、例えば圧縮ビデオデータ（圧縮オーディオデータを含む）を得る。このようにして得られた圧縮ビデオデータは、制御部１１１の制御の元で、録画のために例えばハードディスクドライバ１１８に供給され、ハードディスクに記録される。
【００１１】
操作部１１２あるいはリモートコントローラ１２により再生操作がなされると、制御部１１１は、ハードディスクドライバ１１７のハードディスクに記録された録画ファイルのうちから再生指示された録画ファイルを検索し、この録画ファイルの読出し制御を行う。
【００１２】
読み出された録画ファイルである圧縮ビデオデータは、信号処理部１１６に供給される。信号処理部１１６は、圧縮ビデオデータを伸長処理し、デコード出力として動画信号とこれに同期したオーディオ信号を得る。この動画信号とオーディオ信号を表示器１６に供給することにより、再生映像と音声出力を視聴することができる。
【００１３】
ハードディスクドラバ１１７は、記録媒体としての所定容量のハードディスクを備えると共に、ハードディスクに対して、データを書き込む、読出しを行うドライバ部を有する。またハードディスクドラバ部は、ハードディスクを回転駆動するモータ１１７ａを有する。
【００１４】
メディアドライバ１１８は、例えばＤＶＤドライバであり、ＤＶＤ１７を着脱することができる。ＤＶＤが装着されると、スピンドルモータ１１８ａがＤＶＤを回転駆動する。制御部１１１の制御の元で、ＤＶＤから読み出したビデオデータをハードディスクに格納することもできる。またハードディスクに記録されているビデオデータを読み出して、メディアドライバ１１８において、ＤＶＤ−Ｒ、ＤＶＤ−ＲＡＭ，ＤＶＤ−ＲＷなどのディスクメディアに記録することも可能である。信号処理部１１６は、上記の処理において、デコード、エンコード処理を制御部１１１の制御の元で実行する。
【００１５】
ここで、１２０は、電源装置であり、ＤＣ電源回路１２１、１２２、１２３を有する。ＤＣ電源回路１２２は、ハードディスクドライバ１１７のモータ１１７ａに対して電力を供給している。またＤＣ電源回路１２３は、ＤＶＤドライバ１１８のスピンドルモータ１１８ａに電力を供給している。またＤＣ電源回路１２１は、その他の電子回路（後述する）に電力を供給している。
【００１６】
上記のように、ハードディスクドライバ１１７のモータ１１７ａ、ＤＶＤドライバ１１８のスピンドルモータ１１８ａ、電子回路に対して、独立した電源系統が設けられている。この理由は、相互にノイズ干渉を生じさせないためである。さらにこの装置では、次に述べるように、逆起電力を有効活用し、全体装置としての省エネルギー化が得ると共に、スピンドルモータへの電源電圧の安定化と安全性を得るものである。
【００１７】
図２は、電源装置１２０の内部と、電力供給系統をさらに示している。プラグ１６１は商用電源に接続される。プラグ１６１から取り込まれた交流電源は、ＡＣ／ＤＣ変換部１６２において、整流及び平滑される。この直流電源電圧は、スイッチングレギュレータである例えば３つの独立したＤＣ電源回路１２１、１２２、１２３に供給される。
【００１８】
ＤＣ電源回路１２１は、例えば５ボルトの直流電圧を出力し、電子回路１５０に供給している。電子回路１５０は、制御部１１１、操作部１１２、リモートコントロール受信部１１３、ＴＶチューナ部１１５、信号処理部１１６を含む。ＤＣ電源回路１２２は、例えば１２ボルトの直流電圧を出力し、ハードディスクを駆動するモータ１１７にその出力を供給している。ＤＣ電源回路１２３は、例えば１２ボルトの直流電圧を出力し、ＤＶＤを駆動するスピンドルモータ１１８にその出力を供給している。
【００１９】
ここで、ＤＣ電源回路１２３の出力端子と、ＤＣ電源回路１２２の出力端子間には、ダイオード１７１が接続されている。またＤＣ電源回路１２３の出力端子と、ＤＣ電源回路１２１の出力端子間には、ダイオード１７２が接続されている。
【００２０】
ダイオード１７１、１７２は、ＤＣ電源回路１２３の出力端子の電位が、１２ボルト以上に上昇したときに、その上昇分をモータ１１７ａ，電子回路１５０側へ供給するために設けられている。ＤＣ電源回路１２３の出力端子の電位が上昇する要因としては、スピンドルモータ１１８ａがブレーキ駆動されたときに、逆起電力が発生することにある。
【００２１】
即ち、図３に示すように、ＤＶＤを駆動するスピンドルモータ１１８ａが通常駆動状態において、ブレーキがかけられると、逆起電力を生じる。このような場合、電源端子の電位が１２Ｖ以上（例えば１５Ｖ程度まで）に上昇しようとする。しかし、図２の構成であると、この上昇分がダイオード１７１、１７２を接続することにより吸収される。つまり、モータ１１７ａ，電子回路１５０側に有効に利用されることになる。
【００２２】
この発明は、上記の実施形態に限定されるものではない。図４はこの発明の他の実施の形態である。図２と同一部分には同一符号を付している。先の実施形態と異なる部分は、ＤＣ電源回路１２３の出力端子と、ＤＣ電源回路１２１の出力端子間には、ツェナーダイオード１７３が接続されている点である。
【００２３】
この発明は、上記の実施形態に限定されるものではない。図５はさらにこの発明の他の実施の形態である。図２と同一部分には同一符号を付している。先の実施形態と異なる部分は、ＤＣ電源回路１２３の出力端子と、ＤＣ電源回路１２２の出力端子間だけに、ダイオード１７１が接続されている点である。
【００２４】
この発明は、上記の実施形態に限定されるものではない。図６はさらにこの発明の他の実施の形態である。図２と同一部分には同一符号を付している。先の実施形態と異なる部分は、ダイオード１７１に直列にフィルタとしてのコイル１８１が接続され、ダイオード１７２に直列にフィルタとしてのコイル１８２が接続されている点である。
【００２５】
上記のようにフィルタを設けることにより、ノイズの放出、伝播が抑制され、装置全体の動作の信頼性を向上することができる。
【００２６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２７】
【図１】この発明が適用された情報記録再生装置の構成例を示す図である。
【図２】この発明の一実施の形態を示す図である。
【図３】図２の装置の特徴的な動作例を説明するために示した図である。
【図４】この発明の他の実施の形態を示す図である。
【図５】この発明のさらに他の実施の形態を示す図である。
【図６】この発明のさらにまた他の実施の形態を示す図である。
【符号の説明】
【００２８】
１１…情報記録再生装置、１１１…制御部、１１２…操作部、１１３…リモートコントロール受信部、１１５…ＴＶチューナ部、１１６…信号処理部、１１７…ハードディスクドライバ、１１８…メディアドライバ、１２１、１２２、１２３…ＤＣ電源回路、１７１、１７２…ダイオード、１７３…ツェナーダイオード、１８１，１８２…フィルタ。
【図１】
2007215273.tif 000003
【図２】
2007215273.tif 000004
【図３】
2007215273.tif 000005
【図４】
2007215273.tif 000006
【図５】
2007215273.tif 000007
【図６】
2007215273.tif 000008